(57)【要約】  本発明は、極低温貯蔵タンク（２）に貯蔵された液体ガス生成物からのエネルギー生産のための発電装置（１）に関する。装置は、コンテナハウジング（４）と、ラインを介してタンクからガス生成物を受け取る入口（５）とを備える。蒸発ユニット（７）は、液体ガス生成物を気相に変換する。装置は、電流を外部の消費者に提供する気相の燃焼のための集合体（３）を備える。回路（９）は、液体および／または気相を蒸発ユニットを介してモータに輸送する。調節ユニットは、少なくとも１つの弁を使用して回路内の圧力および／または温度を調節し、それによりモータに提供される気相の圧力が範囲内で調節され、温度が少なくとも５℃になる。タンク内の過圧によって蒸発ユニットに押し込まれる液体ガス生成物は、受動的な液体およびガス輸送によって気相でモータに供給される。冷却回路（１０）は、熱をモータから蒸発ユニット（７）内の熱交換器に伝達する。
2021502517.tif 000002
【特許請求の範囲】
【請求項１】
移動可能な極低温貯蔵タンク（２）に貯蔵された液体ガス生成物からのエネルギー生産のための発電装置（１）であって、
輸送ユニットとして一体的に前記発電装置を輸送するのに適したコンテナの形態のハウジング（４）と、
前記ハウジング内または前記ハウジング上に設けられ、前記移動可能な極低温貯蔵タンク（２）と共に取り外し可能な極低温貯蔵タンクに接続されたライン（６）を介して前記液体ガス生成物を受け取るガス入口（５）と、
前記ハウジング内または前記ハウジング上に設けられ、前記液体ガス生成物を気相に変換するための蒸発ユニット（７）と、
前記ハウジング内に設けられ、前記気相の燃焼のためのモータ（１１）、および前記モータによって駆動されることができるように前記モータに結合された発電機（１２）を備える集合体（３）と、
前記ガス入口の前記液体ガス生成物および／または前記気相を前記蒸発ユニットを介して前記モータに輸送するライン回路（９）と、
前記発電機によって生成された電流を外部の電力消費者に供給する電流出力（８）と、
動作中、前記モータから熱を引き出す冷却回路（１０）であって、前記蒸発ユニット（７）は、前記冷却回路から前記液体ガス生成物に熱を伝達して前記液体ガス生成物を蒸発させる熱交換器を備える冷却回路（１０）と、
調節ユニット（１５）と
を備え、
前記調節ユニットは、前記ライン回路内の少なくとも１つの弁を使用して前記ライン回路内の圧力および／または温度を調節するように適合され、それにより前記モータに供給される前記気相の圧力が所定の範囲内で調節され、前記気相の温度が少なくとも５℃になり、
前記ガス入口（５）、前記ライン回路（９）、前記蒸発ユニット（７）および前記調節ユニット（１５）は、前記液体ガス生成物が前記極低温貯蔵タンク内の過圧によって前記ガス入口（５）および前記ライン回路（９）を介して前記蒸発ユニット（７）に押し込まれると、前記液体ガス生成物および前記気相の受動的な液体およびガス輸送によって、前記液体ガス生成物を前記気相で前記モータに供給するように適合される、
発電装置（１）。
【請求項２】
前記調節ユニットは、前記冷却回路（１０）内の冷却流体の温度を調節するように適合され、それにより前記温度は、前記蒸発ユニット（７）内の前記液体ガス生成物への熱伝達の前に４０℃〜５０℃の範囲内にある、請求項１に記載の発電装置。
【請求項３】
前記蒸発ユニット（７）は、周囲温度への曝露によって前記液体ガス生成物を蒸発させる周囲熱交換器（１７）を備え、前記周囲熱交換器（１７）は、前記熱交換器と並列に設けられ、前記冷却回路（１０）から引き出された熱を使用して前記液体ガス生成物を蒸発させる、請求項１または２に記載の発電装置。
【請求項４】
前記液体ガス生成物は、ＩＳＯ  ＬＮＧコンテナの形態で前記移動可能な極低温貯蔵タンクに貯蔵された液化天然ガスを含む、請求項１〜３のいずれか一項に記載の発電装置。
【請求項５】
前記移動可能な極低温貯蔵タンク（２）と、前記ライン（６）とを備え、前記ガス入口（５）は、前記ライン（６）を介して前記移動可能な極低温貯蔵タンク（２）に接続される、請求項４に記載の発電装置。
【請求項６】
前記ハウジング（４）は、標準の輸送車両に積み込むのに適したＩＳＯインターモーダル輸送コンテナの形態で設けられる、請求項１〜５のいずれか一項に記載の発電装置。
【請求項７】
前記ガス入口（５）は、少なくとも１．０バールｇの過圧で前記液体ガス生成物を受け取るように適合される、請求項１〜６のいずれか一項に記載の発電装置。
【請求項８】
前記集合体（３）は、２５０ｋＷ〜５ＭＷの範囲内の電力を供給するように適合される、請求項１〜７のいずれか一項に記載の発電装置。
【請求項９】
外部の加熱および／または冷却回路を前記発電装置に接続する継手をさらに備え、前記冷却回路（１０）または別の冷却回路は、熱を前記外部の加熱回路に伝達するように適合され、および／または前記蒸発ユニット（７）は、冷却媒体から前記液体ガス生成物への熱伝達によって前記外部の冷却回路内の前記冷却媒体を冷却する熱交換器を備える、請求項１〜８のいずれか一項に記載の発電装置。
【請求項１０】
代替のガス供給源（９）としてガス分配ネットワークを前記ライン回路に結合する接続を備える、請求項１〜９のいずれか一項に記載の発電装置。
【請求項１１】
前記発電装置は、太陽光発電システムおよび／または風力発電装置と組み合わせて、ハイブリッドエネルギーネットワークにおいて切り替えられるように適合される、請求項１〜１０のいずれか一項に記載の発電装置。
【請求項１２】
前記調節ユニット（１５）は、前記モータに供給されたときに少なくとも１０℃になるように前記気相の温度を調節し、前記調節ユニットは、最大で５０℃になるように前記気相の前記温度を調節する、請求項１〜１１のいずれか一項に記載の発電装置。
【請求項１３】
前記ライン回路（９）に結合されたバッファタンク（１９）をさらに備える、請求項１〜１２のいずれか一項に記載の発電装置。
【請求項１４】
センサの信号を処理するため、アクチュエータを駆動するため、および／もしくは前記集合体を駆動するための電子制御デバイス、ならびに／または前記集合体が電力を供給しないとき、電力供給を前記発電装置（１）の前記制御デバイスに行うバッテリー（２１）をさらに備える、請求項１〜１３のいずれか一項に記載の発電装置。
【請求項１５】
移動可能な極低温貯蔵タンクに貯蔵された液体ガス生成物からのエネルギー生産のための方法であって、
請求項１〜１４のいずれか一項に記載の発電装置（１）を輸送ユニットとして現場に一体的に輸送することによって前記発電装置を前記現場に設けることと、
前記液体ガス生成物で充填された移動可能な極低温貯蔵タンク（２）を前記現場に設けることと、
前記移動可能な極低温貯蔵タンクをライン（６）を用いて前記発電装置の前記ガス入口（５）に接続することと、
前記蒸発ユニット（７）内で、前記ガス入口（５）および前記ライン回路（９）を介して前記極低温貯蔵タンク内の過圧によって前記蒸発ユニット（７）に押し込まれる前記液体ガス生成物を蒸発させ、前記液体ガス生成物の気相が形成されるようにすることと、
前記気相を燃焼させて前記モータ（１１）を駆動することと、
前記モータに結合された前記発電機（１２）によって電流を生成することと、
前記電流を前記電流出力（８）を介して外部の電力消費者に供給することとを含み、前記ライン回路内の圧力および／または温度は、前記気相の温度が少なくとも５℃になるように所定の範囲内で調節され、
前記気相の前記液体ガス生成物は、前記液体ガス生成物および前記気相の受動的な液体およびガス輸送によって前記モータに供給される、
方法。
【発明の詳細な説明】
【技術分野】
【０００１】
本発明は、メタン含有ガス、例えば天然ガスまたはバイオガスなどのガスの燃焼によるエネルギー生産の分野に関する。より詳細には、本発明は、取り外し可能な極低温貯蔵タンクに貯蔵されたガス生成物からのエネルギー生産のためのコンパクトな発電装置、およびエネルギー生産のための対応する方法に関する。
【背景技術】
【０００２】
他の化石燃料と比較して、ＣＯ２の排出量を制限することができることは、天然ガスなどのメタン含有ガス生成物からのエネルギー生産の利点である。例えば、１ｍ３の天然ガスを１バール、０℃で燃焼させると、放出されるＣＯ２はおよそ１．８ｋｇだけである。
【０００３】
天然ガスは、圧縮天然ガス（ＣＮＧ）または液化天然ガス（ＬＮＧ）として輸送および／または貯蔵することができる。ＣＮＧは典型的には、例えば２００バール以上の高圧下で貯蔵され、ＬＮＧは常圧、すなわちおよそ１バール、またはほぼ大気圧で貯蔵することができるが、極低温、例えばおよそ−１６２℃でも貯蔵可能である。そうすることにより、ＬＮＧ質量の単位の体積は、圧力下のガス、例えばＣＮＧよりも約６００倍小さくなる。液体ガスは常圧下で貯蔵されるため、高圧下での貯蔵に伴う安全上のリスクが回避される。液化天然ガス、ＬＮＧは、必ずしも液体形態の天然ガスだけを指すのではなく、バイオガスなどの持続可能な供給源から得られる液体ガスを含むこともできる。ＬＮＧは、例えば、液体形態の天然ガスとバイオガスの混合物を含み得る。
【発明の概要】
【０００４】
本発明による実施形態は、エネルギーを提供するための良好かつ効率的な手段および方法を提供することを目的とする。
【０００５】
本発明の実施形態の利点は、カーボンフットプリントが制限された、ならびに／または二酸化炭素（ＣＯ２）、窒素酸化物（ＮＯｘ）、硫黄酸化物（ＳＯｘ）および／もしくはダスト粒子の排出量が少ないエネルギーを提供することができることである。
【０００６】
さらなる利点は、メタン含有ガス生成物は、例えば生産時に大きなカーボンフットプリントの負担を伴うことなく、単純なプロセスによって発生させることができることである。さらなる利点は、メタン含有ガス生成物は、輸送および／または貯蔵のためにさらなる化学処理を必要としないことである。さらなる利点は、エネルギーは、メタン含有ガス生成物から効率的な方法で発生させることができることである。さらなる利点は、メタン含有ガス生成物からエネルギーを発生させる燃焼エンジンは、ディーゼルなどの従来の燃料で動作する同等の燃焼エンジンよりも静かに動作することである。
【０００７】
本発明の実施形態の利点は、液化天然ガスは、有利な高エネルギー／体積密度によって効率的に輸送され得ることである。さらに、液化天然ガスは、例えばボイルオフガス（ＢＯＧ）の形態で大きな損失を伴うことなく約３０００ｋｍ離れた場所に供給することができる。
【０００８】
本発明の実施形態の利点は、液化天然ガスは、パイプラインを備えた分配ネットワークを必要とせずに供給され得ることである。
【０００９】
本発明の実施形態の利点は、エネルギーは、低コストで提供することができることである。
【００１０】
本発明の実施形態の利点は、発電装置は、限られた時間、例えば数時間で設置することができることである。
【００１１】
本発明の実施形態の利点は、発電装置を、例えば必要なスペースを限定することができるようにコンパクトな構成で提供することができることである。
【００１２】
さらなる利点は、例えば発電装置をコンパクトで容易に確保可能な構成で提供することによって、権限のない者による意図的および／または偶発的な途絶を回避することができる良好なアクセス制御およびセキュリティを提供することができることである。
【００１３】
本発明の実施形態の利点は、エネルギーを、電力分配ネットワークへの接続なしに提供することができることである。
【００１４】
本発明の実施形態の利点は、エネルギーを、緊急電源として提供することができることである。さらなる利点は、分配ネットワークの電力が途絶した場合、緊急電源を始動させるための高速応答時間を達成することができることである。
【００１５】
本発明の実施形態の利点は、エネルギーを、太陽光発電システムおよび／または風力ステーションなどの再生可能エネルギーの不撓性のおよび／または可変の供給源と組み合わせて、ハイブリッドネットワークで提供することができることである。さらなる利点は、そのような再生可能エネルギーの供給源から供給される電力の低下は、本発明による実施形態によって迅速に対処され得ることである。
【００１６】
本発明の実施形態の利点は、エネルギー生産における残留熱を、効率的に使用することができることである。
【００１７】
本発明の実施形態の利点は、発電装置のメンテナンスおよび／または修理は、さらなる同一の発電装置による発電装置の交換によって行うことができることである。さらなる利点は、その結果、エネルギー生産の中断の期間を制限することができることである。さらなる利点は、修理またはメンテナンスは、専門のメンテナンスセンターで実施することができることである。
【００１８】
本発明の実施形態の利点は、４５％を超える、６５％を超える、例えば８０％などのエネルギー生産の効率を達成することができることである。
【００１９】
上述の目的は、本発明によるデバイスによって実現される。
【００２０】
第１の態様では、本発明は、取り外し可能な極低温貯蔵タンクに貯蔵された液体ガス生成物からのエネルギー生産のための発電装置に関する。発電装置は、輸送ユニットとして一体的に発電装置を輸送するのに適したコンテナの形態のハウジングを備える。発電装置は、ハウジング内またはハウジング上に設けられ、取り外し可能な極低温貯蔵タンクに関連するライン、例えば接続ライン、例えば導管を介して液体ガス生成物を受け取るガス入口を備える。発電装置は、ハウジング内またはハウジング上の、液体ガス生成物を気相に変換するための蒸発ユニットを備える。発電装置は、ハウジング内に設けられた集合体を備える。集合体は、気相の燃焼のためのモータ、例えばエンジン、およびモータによって駆動されることができるようにモータに結合された発電機を備える。発電装置は、ガス入口の液体ガス生成物および／または気相を蒸発ユニットを介してモータに輸送するライン回路、例えば導管回路を備える。発電装置は、発電機によって生成された電流を外部の電力消費者、例えば外部の電力ユーザに供給する電流出力を備える。発電装置はまた、調節ユニット、例えば制御デバイスを備える。調節ユニットは、ライン回路内の少なくとも１つの弁を使用してライン回路内の圧力および／または温度を調節、例えば制御するように適合され、それによりモータに供給される気相の圧力が所定の範囲内で調節、例えば制御され、気相の温度が少なくとも５℃になる。ガス入口、ライン回路、蒸発ユニットおよび調節ユニットは、液体ガス生成物がガス入口およびライン回路を介して極低温貯蔵タンク内の過圧によって蒸発ユニットに押し込まれると、液体ガス生成物および気相の受動的な液体およびガス輸送によって、例えば液体ガス生成物の能動的な液体輸送なしに、および気相の能動的なガス輸送なしに液体ガス生成物を気相でモータに供給するように適合される。
【００２１】
発電装置は、動作中、モータから熱を引き出す冷却回路、例えば水回路を備える。蒸発ユニットは、熱を冷却回路から液体ガス生成物に伝達して液体ガス生成物を蒸発させる熱交換器を備える。
【００２２】
本明細書では、受動的な液体および／またはガス輸送は、極低温貯蔵タンク内の過圧による、および気相での液体ガス生成物の変換によって構築された圧力による、液体ガス生成物および気相をライン回路内で前方に押し込む受動的な圧力のみの使用を指す。「前方」はここでは、実質的に、ガス入口からモータに向かう輸送を指す。
【００２３】
本明細書では、能動的な液体および／またはガス輸送は、駆動される輸送手段、例えばポンプなどの機械的および／または電気的に駆動される輸送手段の使用を指す。
【００２４】
本発明の実施形態の利点は、発電装置は、低温においても容易に始動することができることである。本発明の実施形態の利点は、発電装置は、自律的に容易に始動することができることである。例えば、実施形態の利点は、受動的な液体およびガス輸送により、例えばわずかな容量しか持たないバッテリーによって供給される蓄電エネルギーなしに、または非常に限られた蓄電エネルギーの始動により発電装置の開始を可能にすることである。
【００２５】
本発明の実施形態による発電装置では、ライン回路内の少なくとも１つの弁は、その出口での圧力を調節するための、例えば出力を集合体に向けて提供し、第１の所定の値よりも上および／または第２の所定の値よりも下にあるように配置される少なくとも１つの第１の弁を備えることができる。したがって、少なくとも第１の弁は、モータに供給される気相の圧力を所定の範囲内に調節する１つまたは複数の弁を備えることができる。例えば、プリセットされた圧力および／またはプリセットされた範囲内で出力圧力を調節する統合された圧力センサまたはパイロットを備える適切な弁が当技術分野で知られている。そのような弁が、例えば従来技術の弁において、完全に機械的な手段によって、例えば電力供給を必要とせずに実装され得ることは、利点である。例えば、少なくとも１つの弁は、能動調節弁、例えば当技術分野で知られているダイヤフラム弁を備えることができる。例えば、少なくとも１つの弁は、当技術分野で知られている安全遮断弁を備えてもよい。例えば、少なくとも１つの弁は、圧力を監視するための統合されたセンサ、または弁の作動を制御するための感圧機械的継手を備えることができる。
【００２６】
本発明の実施形態による発電装置では、調節ユニットは、モータに供給される気相の温度を少なくとも５℃に調節するための少なくとも１つの第２の弁を備えることができる。
【００２７】
少なくとも１つの第２の弁は、電気制御機構、例えば温度センサ、コントローラ、および電気的に制御される弁アクチュエータを備えることができる。しかしながら、少なくとも１つの第２の弁は、受動的に制御される機構、例えば当技術分野で知られている毛細管温度制御弁を備えてもよい。
【００２８】
例えば、調節ユニットは、例えば熱交換器の（すなわち熱交換器内のガス回路の）出口またはその近くのライン回路内の温度を測定するための温度センサを備えてもよく、少なくとも１つの第２の弁は、例えば熱交換器の（すなわち熱交換器内の冷却回路の）入口またはその近くの冷却回路内に設けられてもよい。少なくとも１つの第２の弁は、動作中、温度センサの出力信号の関数として制御される制御可能な弁であり得る。例えば、少なくとも１つの第２の弁は、熱交換器を通る冷却媒体の流量、例えば水の流量を調節するための三方弁であってもよい。そのような三方弁は、モータによって加熱された温かい冷却媒体の熱交換器への流れを調節することができる。例えば、そのような三方弁は、混合機能を有する３ポート弁であってもよい。三方弁は、ピストン弁を備えることができる。三方弁は、自律的温度制御システムを備えることができる。例えば、熱交換器に向かう流れのための弁の出口ポートは、例えば所定の閾値を超えるとき、温度センサによって測定されたガスの温度上昇に応じて（少なくとも部分的に）閉鎖され得るが、本発明の実施形態はこれに限定されない（例えば、弁の閉鎖は、温度の関数として関数の増加によって定義されてもよい）。
【００２９】
本発明の実施形態による発電装置では、液体ガス生成物は、ＩＳＯ  ＬＮＧコンテナの形態で取り外し可能な極低温貯蔵タンクに貯蔵された液化天然ガスを含み得る。
【００３０】
本発明の実施形態による発電装置は、取り外し可能な極低温貯蔵タンクと、ラインとを備えることができ、ガス入口は、ラインを介して取り外し可能な極低温貯蔵タンクに接続される。
【００３１】
本発明の実施形態による発電装置では、ハウジングは、標準の輸送車両に積み込むのに適したＩＳＯインターモーダル輸送コンテナの形態で設けることができる。
【００３２】
本発明の実施形態による発電装置では、ガス入口は、少なくとも１．０バールｇの過圧で液体ガス生成物を受け取るように適合させることができる。
【００３３】
本発明の実施形態による発電装置では、集合体は、２５０ｋＷ〜５ＭＷの範囲内の電力を供給するように適合させることができる。
【００３４】
本発明の実施形態による発電装置は、アクセスセキュリティ、例えば機械的ロックなどの機械的セキュリティ、および／または監視システムなどの電子セキュリティを備えることができる。発電装置は、例えば電子警報信号、視覚警報信号および／または聴覚警報信号を使用して、発電装置への不正アクセス、例えば物理および／または仮想アクセスを報告する警報システムを備えることができる。警報システムは、不正アクセスが検出されたときに発電装置をオフにする緊急停止システムを備えてもよい。
【００３５】
本発明の実施形態による発電装置は、外部の加熱および／または冷却回路を発電装置に接続する継手を備えることができ、冷却回路または別の冷却（例えば水）回路は、熱を外部の加熱回路に伝達するように適合され、および／または蒸発ユニットは、冷却媒体から液体ガス生成物への熱伝達によって外部の冷却回路内の冷却媒体を冷却する熱交換器を備える。
【００３６】
本発明の実施形態による発電装置では、ライン回路は、能動的な、例えば電気的および／または機械的に駆動される、液体および／またはガス輸送手段を備えない開放受動システムを備えることができる。
【００３７】
本発明の実施形態による発電装置は、代替のガス供給源としてガス分配ネットワークをライン回路に結合する接続を備えることができる。
【００３８】
本発明の実施形態による発電装置は、太陽光発電システムおよび／または風力発電装置と組み合わせて、ハイブリッドエネルギーネットワークにおいて切り替えられるように適合させることができる。
【００３９】
本発明の実施形態による発電装置では、調節ユニットは、モータに供給されたときに少なくとも１０℃になるように気相の温度を調節、例えば制御するように適合させることができる。調節ユニットは、最大で５０℃になるように気相の温度を調節するように適合させることができる。
【００４０】
本発明の実施形態による発電装置では、圧力の所定の範囲は、２５ミリバール〜１００ミリバールの範囲とすることができる。
【００４１】
本発明の実施形態による発電装置では、調節ユニットは、冷却回路内の冷却媒体、例えば水の温度を調節、例えば制御するように適合され得、それによりこの温度は、蒸発ユニット内の液体ガス生成物への熱伝達の前に４０℃〜５０℃の範囲内にある。
【００４２】
本発明の実施形態による発電装置では、蒸発ユニットは、周囲温度への曝露によって液体ガス生成物を蒸発させる周囲熱交換器を備えることができ、周囲熱交換器は、一次熱交換器と並列に設けられ、冷却回路から引き出された熱を使用して液体ガス生成物を蒸発させる。
【００４３】
本発明の実施形態による発電装置は、ライン回路に結合されたバッファタンクを備えることができる。
【００４４】
本発明の実施形態による発電装置は、センサの信号を処理するため、アクチュエータを駆動するため、および／または集合体を駆動するための電子制御デバイスを備えることができる（例えば調節ユニットが備えてもよい）。
【００４５】
本発明の実施形態による発電装置では、電子制御デバイスは、デジタル通信ネットワークおよび／または無線信号などの通信接続を介して発電装置を監視および／または駆動する通信モジュールを備えることができる。
【００４６】
本発明の実施形態による発電装置は、集合体が電力を供給しないとき、電力供給を発電装置の制御デバイスに行うバッテリーを備えることができる。
【００４７】
本発明の実施形態による発電装置では、ハウジングは、ハウジングを輸送車両からおよび／または輸送車両に自律的に吊り上げるための自己昇降式デバイスを備えることができる。本発明の実施形態の利点は、発電装置は、昇降クレーン、適応型フォークリフトホイスト、移動式ホイスト、および／またはハウジングを自律的に積み込みおよび／または積み降ろしするための専用の変更を加えた輸送車両など、外部の吊り上げ装置を伴わず遠隔地に設置することができることである。自己昇降式デバイスは、ハウジングの一体部分を形成することができる。
【００４８】
自己昇降式デバイスは、例えば、地上の支持ハウジングへの複数の折り畳み式および／または伸長可能な支持要素を備えることができる。支持要素は、ハウジングを上下にジャッキングする昇降ジャッキ要素を備えてもよい。支持要素は、手動で駆動することができ、および／または発電装置によって、例えば発電装置のモータ、発電機および／またはバッテリーによって駆動することができる。
【００４９】
本発明の実施形態による発電装置は、極端な低温を特徴とする環境ならびに極端な熱を特徴とする環境の両方など、様々な極端な気象条件下で動作するように適合させることができる。
【００５０】
第２の態様では、本発明は、取り外し可能な極低温貯蔵タンクに貯蔵された液体ガス生成物からのエネルギー生産のための方法を提供する。方法は、本発明の第１の態様の実施形態による発電装置を輸送ユニットとして現場に一体的に輸送することによって発電装置を現場に供給することを含む。方法は、液体ガス生成物で充填された取り外し可能な極低温貯蔵タンクを現場に供給することを含む。方法は、取り外し可能な極低温貯蔵タンクをラインを介して発電装置のガス入口に接続することを含む。方法は、蒸発ユニット内で、ガス入口およびライン回路を介して極低温貯蔵タンク内の過圧によって蒸発ユニットに押し込まれる液体ガス生成物を蒸発させ、液体ガス生成物の気相が形成されるようにすることを含む。
【００５１】
方法は、モータを駆動する気相の燃焼、およびモータに結合された発電機による電流の生成を含む。方法は、電流を電流出力を介して外部の電力消費者に供給することを含む。
【００５２】
ライン回路内の圧力および／または温度は、気相の温度が少なくとも５℃になるように所定の範囲内で調節、例えば制御される。気相の液体ガス生成物はここでは、液体ガス生成物および気相の受動的な液体およびガス輸送によってモータに供給される。
【００５３】
方法は、冷却回路、例えば水回路によるモータからの熱の引き出しを含んでもよく、蒸発ユニット内の液体ガス生成物を蒸発させるために冷却回路から液体ガス生成物への熱の伝達を含んでもよい。
【００５４】
本発明の特定の好ましい態様は、添付の独立請求項および従属請求項に記載されている。従属請求項の特徴は、独立請求項の特徴および他の従属請求項の特徴と適宜組み合わせられてもよく、単に請求項に明示的に記載されているものだけではない。
【図面の簡単な説明】
【００５５】
【図１】本発明の実施形態による例示的な発電装置の概略図である。
【図２】２つの個別に輸送可能なユニットにおける本発明の実施形態による発電装置および取り外し可能な極低温ガス貯蔵タンクの構築を表す図である。
【図３】本発明の実施形態による発電装置の例示的な図である。
【図４】本発明の実施形態による方法の本質的なおよび／または任意の特性を示す図である。
【００５６】
図面は概略的なものに過ぎず、限定的ではない。図面において、要素のいくつかのサイズは、説明のために誇張されており、縮尺通りに描かれていない場合がある。特許請求の範囲のいずれの参照符号も、その範囲を限定するものとして解釈されるべきではない。異なる図面において、同じ参照符号は、同じまたは類似の要素を指す。
【発明を実施するための形態】
【００５７】
本発明は、特定の実施形態に関し、かつ、特定の図面を参照して記載されるが、本発明はそれに限定されず、請求項によってのみ限定される。
【００５８】
本明細書を通した「一実施形態」または「実施形態」への参照は、その実施形態に関連して記載される特定の特徴、構造または特性が本発明の少なくとも１つの実施形態に含まれることを意味する。したがって、本明細書の様々な箇所における「一実施形態において」または「実施形態において」という句の出現は、必ずしも全てが同じ実施形態を参照している訳ではないが、そうであってもよい。さらに、特定の特徴、構造または特性は、１つまたは複数の実施形態において、本開示から当業者に明らかであるように、任意の適切な方法で組み合わせることができる。
【００５９】
同様に、本発明の例示的な実施形態の説明において、本発明の様々な特徴は、開示を合理化し、様々な本発明の態様の１つまたは複数の理解を助けるために、単一の実施形態、図、またはその説明において一緒にグループ化されることがあることを理解されたい。しかしながら、開示のこの方法は、請求された発明が各請求項に明示的に記載されたより多くの特徴を必要とするという意図を反映するものと解釈されるべきではない。むしろ、以下の特許請求の範囲が反映するように、本発明の態様は、単一の先に開示された実施形態の全ての特徴よりも少ないものである。したがって、詳細な説明に続く請求項は、この詳細な説明に明示的に組み込まれ、各請求項は、本発明の別個の実施形態として独立して成り立っている。
【００６０】
さらに、本明細書で説明されるいくつかの実施形態は、他の実施形態に含まれるいくつかの特徴を含むが、他の特徴を含まず、異なる実施形態の特徴の組み合わせは、本発明の範囲内であり、当業者に理解されるように異なる実施形態を形成することを意味する。例えば、以下の特許請求の範囲において、特許請求された実施形態のいずれかは、任意の組み合わせで使用することができる。
【００６１】
さらに、明細書および特許請求の範囲における第１の、第２のなどの用語は、類似の要素を区別するために使用され、必ずしも時間的に、空間的に、ランク付けで、または任意の他の方法で順序を記載するために使用されるものではない。そのように使用される用語は、適切な状況下で交換可能であり、本明細書に記載されている本発明の実施形態は、本明細書に記載または図示されている以外の順序で動作可能であることを理解されたい。
【００６２】
さらに、説明および特許請求の範囲における頂部、底部、上、前などの用語は、説明目的で使用されており、必ずしも相対的な位置を説明するためではない。そのように使用される用語は、適切な状況下で交換可能であり、本明細書に記載されている本発明の実施形態は、本明細書に記載または図示されている以外の配向で動作可能であることを理解されたい。
【００６３】
特許請求の範囲で使用される「備える」という用語は、その後に列挙される手段に限定されるものとして解釈されるべきではなく、したがって他の要素またはステップを排除するものではないことに留意されたい。したがって、指された特徴、整数、ステップまたは構成要素の存在を指定するものとして解釈されるが、１つまたは複数の他の特徴、整数、ステップもしくは構成要素、またはそれらのグループの存在または追加を排除するものではない。したがって、「手段ＡおよびＢを備えるデバイス」という表現の範囲は、構成要素ＡおよびＢのみからなるデバイスに限定されるべきではない。これは、本発明に関して、デバイスの関連する構成要素がＡおよびＢのみであることを意味する。
【００６４】
本明細書で提供される説明では、多数の具体的な詳細が述べられている。しかしながら、本発明の実施形態は、これらの特定の詳細なしに実施され得ることが理解される。他の例では、周知の方法、構造および技術は、この説明の理解を不明瞭にしないために詳細に示されていない。
【００６５】
第１の態様では、本発明は、取り外し可能な極低温貯蔵タンクに貯蔵された液体ガス生成物からのエネルギー生産のための発電装置を提供する。発電装置は、輸送ユニットとして一体的に発電装置を輸送するのに適したコンテナの形態のハウジングを備える。発電装置は、ハウジング内またはハウジング上に設けられ、取り外し可能な極低温貯蔵タンクに接続されたラインを介して液体ガス生成物を受け取るガス入口を備える。発電装置は、ハウジング内またはハウジング上の、液体ガス生成物を気相に変換するための蒸発ユニットを備える。発電装置は、ハウジング内に設けられた集合体を備える。集合体は、気相の燃焼のためのモータ、およびモータによって駆動されることができるようにモータに結合された発電機を備える。発電装置は、ガス入口の液体ガス生成物および／または気相を蒸発ユニットを介してモータに輸送するライン回路を備える。発電装置は、発電機によって生成された電流を外部の電力消費者に供給する電流出力を備える。発電装置はまた、調節ユニットを備える。調節ユニットは、ライン回路内の少なくとも１つの弁を使用してライン回路内の圧力および／または温度を調節、例えば制御するように適合され、それによりモータに供給される気相の圧力が所定の範囲内で調節、例えば制御され、気相の温度が少なくとも５℃になる。ガス入口、ライン回路、蒸発ユニットおよび調節ユニットは、液体ガス生成物が極低温貯蔵タンク内の過圧によってガス入口およびライン回路を介して蒸発ユニットに押し込まれると、液体ガス生成物および気相の受動的な液体およびガス輸送によって、例えば液体ガス生成物の能動的な液体輸送なしに、および気相の能動的なガス輸送なしに液体ガス生成物を気相でモータに供給するように適合される。
【００６６】
図１は、取り外し可能な極低温貯蔵タンク２に貯蔵された液体ガス生成物からのエネルギー生産のための、本発明の実施形態による発電装置１の概略図を示す。
【００６７】
液体ガス生成物は、取り外し可能な極低温貯蔵タンクに貯蔵された液化天然ガスを含み得る。極低温貯蔵タンク２は、例えば図２に概略的に示されるような、例えばＩＳＯ  ＬＮＧコンテナを備えることができる。取り外し可能な極低温貯蔵タンクは、当技術分野で知られている。例えば、米国特許第６，０４７，７４７号明細書は、輸送車両を使用して、陸上に圧力下で液化天然ガスを分配するためのコンテナを開示している。本発明による実施形態は、これに限定されることなく、移動可能な極低温貯蔵タンクを備えてもよい。
【００６８】
該発電装置１は、輸送ユニットとして一体的に発電装置を輸送するのに適したコンテナの形態のハウジング４を備える。コンテナは、ＩＳＯコンテナ、例えば標準の２０ｆｔのコンテナ、３０ｆｔのコンテナ、または４０ｆｔのコンテナなど、標準サイズのインターモーダル輸送コンテナであり得る。より詳細には、該ハウジング４は、標準の輸送車両に積み込むように適合させることができる。
【００６９】
図２は、本発明の実施形態による発電装置１の例示的な実装を示す。集合体３および蒸発ユニット７は、ハウジング内に設置され得る。例えば、発電装置１の実質的に全ての構成要素は、ハウジング内に設置されてもよい。ハウジングは、ビーム形状のハウジングを形成するために金属フレームを備えることができる。該ビーム形状のハウジングの側部は、例えばプレートおよび／またはグリッドによって部分的に閉鎖されてもよい。好ましくは、環境から空気を吸い込むために、底部および／または側面は部分的に開いている。好ましくは、高温空気の形で残留熱を排出すること、および／または燃焼ガスを排出することができるように、頂部および／または側面は部分的に開いている。
【００７０】
本発明による実施形態の利点は、発電装置は、例えば発電装置への単純な接続のみを行うことによって、組み立てを必要とせずに現場に設置することができ、すぐに使用可能な状態で輸送車両を使用して供給を行うことができることである。例えば、１つまたは複数のガス分配回路は、すぐに始動可能な発電装置を移動可能な極低温貯蔵タンクに接続することができ、１つまたは複数の電流接続は、すぐに始動可能な発電装置を１つまたは複数の電力消費者に接続することができる。任意で、１つまたは複数の加熱回路および／または冷却回路を、すぐに始動可能な発電装置に接続することができる。例えば、例えば１ＭＷの定格電力を有する発電装置は、例えば３時間以下の限られた時間で設置することができる。
【００７１】
本発明の実施形態の利点は、発電装置は、例えば発電装置を実質的に同一の発電装置と交換することによって、エネルギー供給の中断の期間を制限して容易に保守および修理することができる一方、修理またはサービスを受ける発電装置はメンテナンスセンターに移動されることである。さらなる利点は、例えば進化するエネルギー要件に応じて直接的な方法で供給される電力を増やしたり、かつ／またはエネルギー供給の冗長性を提供したりするために、いくつかの同一の発電装置を並列に簡単に設置することができることである。
【００７２】
本発明の実施形態による発電装置は、アクセスセキュリティ、例えば機械的ロックなどの機械的セキュリティ、および／または監視システムなどの電子セキュリティを備えることができる。発電装置は、例えば電子警報信号、視覚警報信号および／または聴覚警報信号を使用して、発電装置への不正アクセス、例えば物理および／または仮想アクセスを報告する警報システムを備えることができる。警報システムは、不正アクセスが検出されたときに発電装置をオフにする緊急停止システムを備えてもよい。
【００７３】
本発明の実施形態による発電装置では、ハウジングは、ハウジングを輸送車両からおよび／または輸送車両に自律的に吊り上げるための自己昇降式デバイスを備えることができる。自己昇降式デバイスは、ハウジングの一体部分を形成することができる。
【００７４】
自己昇降式デバイスは、例えば、地上の支持ハウジングへの複数の折り畳み式および／または伸長可能な支持要素を備えることができる。支持要素は、ハウジングを上下にジャッキングする昇降ジャッキ要素を備えてもよい。支持要素は、手動で駆動することができ、および／または発電装置によって、例えば発電装置のモータ、発電機および／またはバッテリーによって駆動することができる。
【００７５】
発電装置１は、ハウジング内またはハウジング上に設置され、取り外し可能な極低温貯蔵タンク２に接続されたライン６を介して液体ガス生成物を受け取るガス入口５を備える。好ましくは、ガス入口５は、過圧、例えば１．０バールｇ〜３バールｇの範囲内の過圧で液体ガス生成物を受け取るように適合され得る。ガス入口は、入ってくる液体ガス生成物の圧力を調節する調節弁を備えてもよい。極低温貯蔵タンクは、わずかに増加した圧力下で液体ガス生成物を貯蔵するように適合され得るか、または適切な圧力範囲内の出力継手での液体ガス生成物の圧力を調節する少なくとも１つの調節弁を備え得る。わずかな過圧を提供することによって、発電装置にガス生成物を受動的に供給することができ、したがってポンプなどの能動的な輸送手段を備える必要がないことが利点である。そのような受動的なガス供給の利点は、発電装置の始動時、エネルギー生産を開始するのに必要な電力が制限されることである。
【００７６】
発電装置は、液体ガス生成物を気相に変換するための蒸発ユニット７を備える。
【００７７】
発電装置は、ハウジング内に設けられ、気相の燃焼のためのモータ１１、およびモータによって駆動されることができるようにモータに結合された発電機１２を備える集合体３を備える。
【００７８】
本発明による実施形態では、集合体３は、２５０ｋＷ〜５ＭＷの範囲、好ましくは、５００ｋＷ〜２ＭＷの範囲内などの電力を供給するように適合させることができる。
【００７９】
発電装置は、動作中、モータから熱を引き出す冷却回路１０を備えることができる。冷却回路は、水などの適切な冷却流体を含むことができる。
【００８０】
本発明による実施形態では、発電装置はまた、温水回路または蒸気回路などの加熱回路を介して熱を提供するように適合させることができる。本発明による実施形態では、発電装置はまた、冷却回路を介して冷却を提供するように適合させることができる。例えば、発電装置は、外部の加熱および／または冷却回路を発電装置に接続する継手を備えてもよい。例えば、該冷却回路１０、または同様にモータおよび／またはモータの出口から熱を引き出す別の冷却回路は、熱を外部の加熱回路に伝達するように適合されてもよい。例えば、該蒸発ユニット７は、この冷却媒体から液体ガス生成物への熱伝達によって外部の冷却回路内の冷却媒体を冷却する熱交換器を備えることができる。
【００８１】
該蒸発ユニット７は、熱を該冷却回路１０から液体ガス生成物に伝達して液体ガス生成物を蒸発させる熱交換器を備えることができる。
【００８２】
発電装置は、ガス入口の液体ガス生成物および／または気相を蒸発ユニットを介してモータに輸送するライン回路９を備える。例えば、動作中、ライン回路は、液体ガス生成物を実質的に液相でガス入口から蒸発ユニットに輸送し、液体ガス生成物を実質的に気相で蒸発ユニットからモータに輸送することができる。好ましくは、ライン回路９は、ポンプなどの能動的な輸送手段を備えない。
【００８３】
本発明による実施形態では、発電装置はまた、移動可能な極低温貯蔵タンク内の液体ガス生成物の代替のガス供給源として機能するガス分配ネットワーク用の接続を備えることができる。例えば、発電装置は、ガス生成物を気相で直接受け取るガス分配ネットワーク継手を備えることができる。例えば、このガス分配ネットワーク継手は、蒸発ユニット７とモータ１１との間の該ライン回路９に接続されてもよい。
【００８４】
発電装置は、発電機１２によって生成された電流を外部の電力消費者に供給する電流出力８を備える。
【００８５】
本発明による実施形態では、発電装置は、例えば電力分配ネットワークを介した電力供給の途絶時に継続的な電源供給を確保するために、緊急電源として機能するように適合させることができる。
【００８６】
本発明による実施形態では、発電装置は、例えば電力分配ネットワークへの接続を必要とせずに電力供給を確保するために、ネットワーク外で電流を供給するように適合させることができる（「オフグリッド」）。
【００８７】
本発明による実施形態では、発電装置は、例えば太陽光発電システムおよび／または風力発電装置と組み合わせて、ハイブリッドエネルギーネットワークにおいて切り替えられるように適合させることができる。
【００８８】
発電装置は、調節ユニット１５をさらに備える。該調節ユニットは、該ライン回路９内の少なくとも１つの弁を使用してライン回路内の圧力および／または温度を調節するように適合され、それによりモータに供給される気相の圧力が所定の範囲内で調節され、気相の温度が少なくとも５℃になる。好ましくは、該調節ユニットは、モータに供給されたときに少なくとも１０℃になるように気相の温度を調節することができる。該調節ユニットは、例えば、最大で５０℃になるように気相の温度を調節することができる。所定の範囲は、例えば、１０〜１０００ミリバールの範囲、好ましくは２０ミリバール〜２００ミリバールの範囲、好ましくは２５ミリバール〜１００ミリバールの範囲を含むことができる。
【００８９】
調節ユニットは、該冷却回路１０内の冷却流体、例えば水回路内の水の温度を調節するようにさらに適合されることができ、それによりこの温度は、蒸発ユニット内の液体ガス生成物への熱伝達の前に３５℃〜６０℃の範囲内、例えば、好ましくは４０℃〜５０℃の範囲内にあり、例えばこの温度は、およそ４５℃である。冷却流体（例えば水）の温度を低温、例えばおよそ４５℃に制御することによって、気相の温度は、モータによる使用に適した範囲内で容易に制御することができる。したがって、ライン回路９は、ガスの圧力および温度を調節する複雑な手段を必要としない。
【００９０】
調節ユニットは、機械式制御弁などの受動制御機構を備えることができる。該制御デバイスはまた、処理ユニットなどの能動制御機構、圧力および／もしくは温度センサなどのセンサ、ならびに／または電気的に駆動される弁を備えてもよい。
【００９１】
例えば、調節ユニットは、圧力調節器ＤＲを備え得る。ガスがモータによって排出されないとき、閉鎖圧力調節器ＤＲまでのライン回路内の圧力は、該ガス入口５のエントランスに供給されるタンク圧力に実質的に等しくなるまで増加し得る。したがって、過剰なガスまたは圧力をタンクに強制的に戻すことができる。モータがガスを排出すると、圧力が低下し、圧力差に応じて、したがって消費量にも直接依存して、液体ガス生成物が再びシステムに強制的に戻され得る。消費量が多いと、圧力差が大きくなり、したがって供給が速くなる。そのような受動開放システムは、液体ガス生成物からの気相中のガスの過剰生産の換気を回避することができるという利点を有する。
【００９２】
図３は、本発明の実施形態に対応する発電装置１の概略フローチャートを示す。該蒸発ユニット７は、冷却回路１０から熱を引き出し、該ライン回路９内の液体ガス生成物を蒸発させる。加えて、蒸発ユニット７はまた、例えば周囲空気との熱交換によって、周囲温度への曝露によって液体ガス生成物を蒸発させる周囲熱交換器１７を備えることができる。この周囲熱交換器１７は、一次熱交換器と並列に設置され、該冷却回路１０から引き出された熱を使用して液体ガス生成物を蒸発させることができる。発電装置の始動段階において、例えば該ライン回路９内の気相の圧力が不十分であるとき、モータがその動作温度にまだ達していない、および／またはまだ始動していない場合、該ライン回路９内の気相の十分な圧力および温度がモータを始動させるために構築されるまで、周囲熱交換器１７が受動的に液体ガス生成物を蒸発させることができることは、利点である。モータがウォームアップした後、一次熱交換器が蒸発プロセスを実質的に引き継ぐことができるので、十分な供給速度を達成することが可能である。
【００９３】
該発電装置１は、該ライン回路９に結合されたバッファタンク１９を備えることができる。そのようなバッファタンク１９の利点は、送達された電力の変動に対応するため、および／または例えば周囲熱交換器１７を使用する蒸発によって気相の予備力を構築するために、気相の予備力を貯蔵することができ、例えばそれによりこの予備力は、モータを始動し、モータがその動作温度に達するのを可能にするのに十分であることである。
【００９４】
発電装置１は、例えば発電装置の始動時、例えば連続的な電力供給を発電装置の制御デバイスに提供するためにバッテリー２１を備えることができる。制御デバイスは、例えば、センサの信号を処理するため、制御弁などのアクチュエータを駆動するため、および／または集合体を駆動するための処理ユニットを備えることができる。制御デバイスは、例えば貯蔵された液体ガス生成物の温度および圧力を制御するために、該極低温貯蔵タンク２に接続することもできる。
【００９５】
本発明の実施形態による発電装置では、電子制御デバイスは、デジタル通信ネットワークおよび／または無線信号などの通信接続を介して発電装置を監視および／または制御する通信モジュールを備えることができる。
【００９６】
第２の態様では、本発明は、移動可能な極低温貯蔵タンクに貯蔵された液体ガス生成物からのエネルギー生産のための方法に関する。方法は、本発明の第１の態様の実施形態による発電装置を輸送ユニットとして現場に一体的に輸送することによって発電装置を現場に供給することを含む。方法は、液体ガス生成物で充填された移動可能な極低温貯蔵タンクを現場に供給することを含む。方法は、移動可能な極低温貯蔵タンクをラインを使用して発電装置のガス入口に接続することを含む。方法は、蒸発ユニット内で、ガス入口およびライン回路を介して極低温貯蔵タンク内の過圧によって蒸発ユニットに押し込まれる液体ガス生成物を蒸発させ、液体ガス生成物の気相が蒸発によって形成されるようにすることを含む。方法は、発電装置のモータを駆動する気相の燃焼、およびモータに結合された発電機による電流の生成を含む。方法は、電流を発電装置の電流出力を介して外部の電力消費者に供給することを含む。
【００９７】
ライン回路内の圧力および／または温度は、気相の温度が少なくとも５℃になるように所定の範囲内で調節することができる。気相の液体ガス生成物はここでは、液体ガス生成物および気相の受動的な液体およびガス輸送によってモータに供給される。
【００９８】
方法はまた、冷却回路によるモータからの熱の引き出しを含んでもよく、蒸発ユニット内の液体ガス生成物を蒸発させるために冷却回路から液体ガス生成物への熱の伝達を含んでもよい。
【００９９】
図４は、本発明の実施形態による方法の概念図を示す。
【０１００】
方法は、液体ガス生成物で充填された移動可能な極低温貯蔵タンク２の現場への供給１０１に加えて、ガス分配ネットワークを介して圧力下での気相ガス生成物の供給１０２を含むことができる。
【０１０１】
方法はまた、発電装置の太陽光発電システムおよび／または風力ステーションへの接続１０３を含むことができる。
【０１０２】
方法は、電流の発電装置の電流出力を介した外部の電力消費者への供給１０４を含む。
【０１０３】
加えて、方法は、熱および／または冷却の供給１０５を含み得る。
【０１０４】
前述の説明は、本発明の特定の実施形態を詳述するものである。しかしながら、前述の内容がどれほど詳細に記載されているとしても、本発明は多くの方法で実施され得ることが理解されるであろう。本発明の特定の特徴または態様を記載するときの特定の専門用語の使用は、専門用語が関連する本発明の特徴または態様の任意の特定の特性を含むことを制限されるように専門用語が本出願で再定義されていることを暗示するように取られるべきでないことが留意されるべきである。
【図１】
2021502517.tif 000003
【図２】
2021502517.tif 000004
【図３】
2021502517.tif 000005
【図４】
2021502517.tif 000006
【国際調査報告】
2021502517.tif 000007
2021502517.tif 000008
2021502517.tif 000009
2021502517.tif 000010